(57)【要約】【課題】互いに隣接する取付枠に、束ねられたコードの一部が跨ってしまうのを未然に防止でき、各種のアダプタに、各対応したコード先端のプラグが接続された状態のままの取付枠をパネル前面から個別に且つスムーズに取り外すことができる使い勝手の良いパッチパネルを提供する。【解決手段】電気又は光通信用のＬＣアダプタＱ１やＳＣアダプタＱ２、電話用モジュラアダプタＱ３等を含む各種のアダプタを適宜組み合わせて実装する複数の取付枠１Ａ、１Ｂをパネル１１の前面側から窓孔１２を介して挿着可能にしてなるものであって、互いに異なるポート仕様の取付枠１Ａ、１Ｂを適宜数、配列にて混載できるよう所定の長さ寸法に設定した窓孔１２を前記パネル１１に設けてなる。【選択図】図１
2018186042.tif 000002
【特許請求の範囲】
【請求項１】
電気又は光通信用のＳＣアダプタやＬＣアダプタ、電話用モジュラアダプタ等を含む各種のアダプタを適宜組み合わせて実装する複数の取付枠をパネルの前面側から窓孔を介して挿着可能に形成したパッチパネルであって、互いに異なるポート仕様の取付枠を適宜数、配列にて混載できるよう所定の長さ寸法に設定した窓孔を前記パネルに設けたことを特徴とするパッチパネル。
【請求項２】
前記した互いに異なるポート仕様の取付枠とは、４ポート仕様の取付枠（４ポート枠）と、６ポート仕様の取付枠（６ポート枠）との２種のポート枠であり、これら取付枠を前記パネルの窓孔に合計２４ポートとなるよう適宜数、配列にて混載してなる請求項１記載のパッチパネル。
【請求項３】
前記取付枠の下縁端略中央に形成された切欠部と、前記取付枠の下縁端内側に両端が固定された状態で前記切欠部の内側を跨ぐように横架され且つ中央部が上下方向に撓曲自在となした弾性を有する被係止部と、前記パネルの窓孔の下側開口縁に係止されるよう被係止部の下面に突設された係止爪とを備え、前記取付枠の切欠部を介して被係止部の中央部を上方に撓ませることで前記パネルの窓孔の下側開口縁による前記係止爪の係止を解除するものとした請求項１記載のパッチパネル。
【請求項４】
電気又は光通信用のＳＣアダプタやＬＣアダプタ、電話用モジュラアダプタ等を含む各種アダプタは、それぞれのアダプタに対応したアタッチメントを介して、前記取付枠の一列に設けられたポートに対応した開口枠に後方から挿入され、該開口枠には、各アタッチメントの壁面に形成された係止部と対向するラッチ片が設けられ、前記開口枠に前記アダプタが後方から挿入した際に、前記ラッチ片は開口枠の係止部によって係止されるものとした請求項１記載のパッチパネル。
【発明の詳細な説明】
【技術分野】
【０００１】
本発明は、情報配線システムにおいて、電気又は光通信用のＳＣアダプタやＬＣアダプタ、電話用モジュラアダプタ等を含む各種のアダプタを適宜組み合わせて実装するパッチパネルに関するものである。
【背景技術】
【０００２】
従来、オフィスや工場等において、音声信号、ＬＡＮ等のディジタル信号、画像信号といった様々な情報を伝達するために、ツイストペアケーブルを用いた情報配線システムが広く用いられている。因みに、シールドが施されていないツイストペアケーブルをＵＴＰ（アンシールデッドツイステッドペアー）ケーブルと称し、電話線やイーサネット(登録商標)などのほか、特に取り回しが簡単で安価なため、高速伝送を求められないイーサネット（登録商標）のＬＡＮ用途に標準的に使用されている。このような情報配線システムでは、オフィスのレイアウト変更等の理由により情報配線の変更が必要となる場合に備えて、パッチパネルと称するネットワークの配線作業を支援するための中継端子盤が用いられている。
【０００３】
具体的には特許文献１に示す電話用のモジュラアダプタを実装するパッチパネルが公知である。このパッチパネルは、モジュラプラグが着脱自在に接続される６個のモジュラアダプタを一列に並べて保持する取付枠（保持部材たるカバー）を４個の一列に並べて（モジュラアダプタが合計２４個）パネルに取り付けられ、このパネルはラック等の被固定部位に取り付けられることで構成されている。
【０００４】
モジュラアダプタが取り付けられた取付枠をパネルに取り付ける場合には、先ず取付枠を斜めにして、パネルに形成されている窓孔に前面側から挿入し、取付枠の下縁部内側に形成されている当接片に突設された突起をパネルの貫通孔に差し込むと、取付枠前面と突起との間の溝に貫通孔の開口縁が挟持される。その後、貫通孔の開口縁を軸として取付枠上部をパネルの窓孔に挿入すると、取付枠の上縁部内側に向けて形成されている係止片の先端上面に突設された嵌合爪と、パネルの開口縁とが当接して、係止片が下方に押し撓められ、嵌合爪が開口縁を乗り越えて開口縁の背面側と係止し、パネルの窓孔に固定される。
【０００５】
一方、取付枠をパネルから取り外す際は、取付枠前面に形成された工具挿入溝とパネルに設けた凹部との間にマイナスドライバなどの工具の先端を差し込んで、係止片に下方への力を加えることにより、嵌合爪と開口縁との嵌合状態を解除し、取付枠をパネルから取り外す。
【先行技術文献】
【特許文献】
【０００６】
【特許文献１】特許第３４８２９０７号公報
【発明の概要】
【発明が解決しようとする課題】
【０００７】
しかしながら、前記した特許文献１による取付枠は、電話用モジュラアダプタの６ポート（６個）を一度にまとめてパネルに取り付けるためのものであり、情報配線システムにおける電気又は光通信用のＳＣアダプタやＬＣアダプタを取り付けるものではない。
【０００８】
しかも、特許文献１では、６個の電話用モジュラアダプタを一列に並べて保持する６ポート仕様による取付枠（６ポート枠）を４個一列に並べて（モジュラアダプタが合計２４個）パネルに取り付けられ、各取付枠の６ポート毎に対応してアダプタに接続されたプラグのコードが乱雑に交叉して互いに絡まないようにするために、コードを６本にまとめて例えばインシュロック等の締結バンドで束ねられている。
【０００９】
一方、４ポート仕様の取付枠を６個実装するタイプのパッチパネルも存在する。
しかし、このタイプのパッチパネルでは取付枠の４個のアダプタにプラグが各接続されている状態の取付枠の６個を一列に並べてパネルに取り付けた場合、６本に束ねられたコードのうち２本分のコードが、互いに隣接する取付枠（６ポート枠）に跨ってしまう問題があった。
【００１０】
このように、特許文献１では、４ポート仕様の取付枠（４ポート枠）と、６ポート仕様の取付枠（６ポート枠）との２種のポート枠を混載させてパネルに実装するものではないため、例えば、電話用モジュラアダプタ、電気又は光通信用のＳＣアダプタやＬＣアダプタ等を含む各種のアダプタに、各対応したコード先端のプラグが接続された状態のまま取付枠をパネル前面から取り外す際には、上記したように互いに束ねられたコードの一部が隣の取付枠に跨った状態では、この隣の取付枠も同時に取り外さなければならず、例えばオフィスのレイアウト変更等の理由による情報配線の変更や保守作業等が非常に煩雑なものとなる。
【００１１】
そこで、本発明は、叙上のような従来存した諸事情に鑑み案出されたもので、パネルに取り付けられた互いに隣接する取付枠に、束ねられたコードの一部が跨ってしまうのを未然に防止でき、例えばオフィスのレイアウト変更等の理由による情報配線の変更や保守作業等において、電話用モジュラアダプタ、電気又は光通信用のＳＣアダプタやＬＣアダプタ等を含む各種のアダプタに、各対応したコード先端のプラグが接続された状態のまま、取付枠をパネル前面から取り外す際に、ポート仕様の互いに異なる個々の取付枠をパネル前面側から個別に且つスムーズに取り外すことができる極めて使い勝手の良いパッチパネルを提供することを目的とする。
【課題を解決するための手段】
【００１２】
上述した課題を解決するために、本発明にあっては、電気又は光通信用のＳＣアダプタやＬＣアダプタ、電話用モジュラアダプタ等を含む各種のアダプタを適宜組み合わせて実装する複数の取付枠をパネルの前面側から窓孔を介して挿着可能に形成したパッチパネルであって、互いに異なるポート仕様の取付枠を適宜数、配列にて混載できるよう所定の長さ寸法に設定した窓孔を前記パネルに設けたことを特徴とする。
【００１３】
また、前記した互いに異なるポート仕様の取付枠とは、４ポート仕様の取付枠（４ポート枠）と、６ポート仕様の取付枠（６ポート枠）との２種のポート枠であり、これら取付枠を前記パネルの窓孔に合計２４ポートとなるよう適宜数、配列にて混載してなる。
【００１４】
さらに、前記取付枠の下縁端略中央に形成された切欠部と、前記取付枠の下縁端内側に両端が固定された状態で前記切欠部の内側を跨ぐように横架され且つ中央部が上下方向に撓曲自在となした弾性を有する被係止部と、前記パネルの窓孔の下側開口縁に係止されるよう被係止部の下面に突設された係止爪とを備え、前記取付枠の切欠部を介して被係止部の中央部を上方に撓ませることで前記パネルの窓孔の下側開口縁による前記係止爪の係止を解除するものとしてなる。
【００１５】
加えて、電気又は光通信用のＳＣアダプタやＬＣアダプタ、電話用モジュラアダプタ等を含む各種アダプタは、それぞれのアダプタに対応したアタッチメントを介して、前記取付枠の一列に設けられたポートに対応した開口枠に後方から挿入され、該開口枠には、各アタッチメントの壁面に形成された係止部と対向するラッチ片が設けられ、前記開口枠に前記アダプタが後方から挿入した際に、前記ラッチ片は開口枠の係止部によって係止されるものとした。
【発明の効果】
【００１６】
本発明によれば、パネルに取り付けられた互いに隣接する取付枠に、束ねられたコードの一部が跨ってしまうのを未然に防止でき、例えばオフィスのレイアウト変更等の理由による情報配線の変更や保守作業等において、電話用モジュラアダプタ、電気又は光通信用のＳＣアダプタやＬＣアダプタ等を含む各種のアダプタに、各対応したコード先端のプラグが接続された状態のまま、取付枠をパネル前面から取り外す際に、ポート仕様の互いに異なる個々の取付枠をパネル前面側から個別に且つスムーズに取り外すことができる。
したがって、本発明によるタッチパネルは極めて使い勝手が良いものである。
【００１７】
すなわち、本発明では、電気又は光通信用のＳＣアダプタやＬＣアダプタ、電話用モジュラアダプタ等を含む各種のアダプタを適宜組み合わせて実装する複数の取付枠をパネルの前面側から窓孔を介して挿着可能に形成したパッチパネルであって、互いに異なるポート仕様の取付枠を適宜数、配列にて混載できるよう所定の長さ寸法に設定した窓孔を前記パネルに設けてなるので、従来のように、コード先端のプラグが接続された状態のまま取付枠をパネル前面から取り外す際に、互いに束ねられたコードの一部が跨った状態にある隣の取付枠も同時に取り外すという面倒な作業を未然に防止することができる。
【００１８】
また、前記した互いに異なるポート仕様の取付枠とは、４ポート仕様の取付枠（４ポート枠）と、６ポート仕様の取付枠（６ポート枠）との２種のポート枠であり、これら取付枠を前記パネルの窓孔に合計２４ポートとなるよう適宜数、配列にて混載してなるので、４ポート及び６ポートに対応して束ねられたコードの一部が互いに隣接する取付枠に跨ってしまうのを未然に防止でき、４ポートと６ポートとの２個の異なるポート仕様の取付枠をパネル前面側から個別に且つスムーズに取り外すことができる。
【００１９】
さらに、前記取付枠の下縁端略中央に形成された切欠部と、前記取付枠の下縁端内側に両端が固定された状態で前記切欠部の内側を跨ぐように横架され且つ中央部が上下方向に撓曲自在となした弾性を有する被係止部と、前記パネルの窓孔の下側開口縁に係止されるよう被係止部の下面に突設された係止爪とを備え、前記取付枠の切欠部を介して被係止部の中央部を上方に撓ませることで前記パネルの窓孔の下側開口縁による前記係止爪の係止を解除するものとしたので、切欠部を介して被係止部の中央部を上方に撓ませることでパネルの窓孔の下側開口縁による係止爪の係止を解除することから、各種のアダプタにコード付きプラグを接続したたままの取付枠をパネル前面側から容易且つスムーズに取り外すことができる。
【００２０】
加えて、電気又は光通信用のＳＣアダプタやＬＣアダプタ、電話用モジュラアダプタ等を含む各種アダプタは、それぞれのアダプタに対応したアタッチメントを介して、前記取付枠の一列に設けられたポートに対応した開口枠に後方から挿入され、該開口枠には、各アタッチメントの壁面に形成された係止部と対向するラッチ片が設けられ、前記開口枠に前記アダプタが後方から挿入した際に、前記ラッチ片は開口枠の係止部によって係止されるものとしたので、互いに異なる外壁形状を有する複数種のアダプタを、取付枠の同一構造による開口枠内に共通して実装することができ、これによって簡易な構成による取付枠を安価に量産化することができる。
【図面の簡単な説明】
【００２１】
【図１】本発明を実施するための一形態におけるパッチパネルの一部の取付枠と各種アダプタを分解した状態を示す斜視図である。
【図２】各種アダプタを取り付けてなる４ポートと６ポートの取付枠を組み合わせて実装したパッチパネルの斜視図である。
【図３】各種アダプタを取り付けてなる４ポートと６ポートの取付枠を組み合わせて実装したパッチパネルの一例を示し、（ａ）は正面図、（ｂ）は底面図である。
【図４】パネルから取付枠を取り外す手順を示すもので、（ａ）はロック状態にある図３（ａ）のＡ−Ａ断面図、（ｂ）はロック押し上げ状態にある図３（ａ）のＡ−Ａ断面図、（ｃ）はロック解除状態にある図３（ａ）のＡ−Ａ断面図、（ｄ）はロック状態にある図３（ａ）のＢ−Ｂ断面図である。
【図５】各種アダプタを取り付けてなる４ポートと６ポートの取付枠を組み合わせて実装したパッチパネルを上下２段に配した状態の正面図である。
【図６】取付枠が実装されるパネルの一例を示し、（ａ）は斜視図、（ｂ）は平面図、（ｃ）は正面図、（ｄ）は側面図である。
【図７】取付枠が実装されるパネルの他の例を示し、（ａ）は斜視図、（ｂ）は平面図、（ｃ）は正面図、（ｄ）は側面図である。
【図８】６ポートの取付枠の一例を示し、（ａ）は平面図、（ｂ）は正面図、（ｃ）は底面図、（ｄ）は背面図、（ｅ）は側面図である。
【図９】同じく６ポートの取付枠の一例を示し、（ａ）は前方の斜め上方から視た斜視図、（ｂ）は後方の斜め上方から視た斜視図、（ｃ）は後方の斜め下方から視た斜視図である。
【図１０】４ポートの取付枠の一例を示し、（ａ）は平面図、（ｂ）は正面図、（ｃ）は底面図、（ｄ）は背面図、（ｅ）は側面図である。
【図１１】同じく４ポートの取付枠の一例を示し、（ａ）は前方の斜め上方から視た斜視図、（ｂ）は後方の斜め上方から視た斜視図、（ｃ）は後方の斜め下方から視た斜視図である。
【図１２】各種アダプタを取り外した状態の４ポートと６ポートの取付枠を組み合わせて実装したパッチパネルの斜視図である。
【図１３】各種アダプタを取り外した状態の複数の６ポートの取付枠を実装したパッチパネルの斜視図である。
【図１４】各種アダプタを取り外した状態の複数の４ポートの取付枠を実装したパッチパネルの斜視図である。
【図１５】取付枠に実装されるＳＣアダプタ用のアタッチメントの一例を示し、（ａ）は平面図、（ｂ）は正面図、（ｃ）は底面図、（ｄ）は側面図、（ｅ）は背面図、（ｆ）は後方の斜め上方から視た斜視図、（ｇ）は後方の斜め下方から視た斜視図である。
【図１６】アタッチメントにＳＣアダプタを装着した状態を示し、（ａ）は平面図、（ｂ）は正面図、（ｃ）は底面図、（ｄ）は側面図、（ｅ）は背面図、（ｆ）は前方の斜め上方から視た斜視図、（ｇ）は前方の斜め下方から視た斜視図、（ｈ）は後方の斜め上方から視た斜視図、（ｉ）は後方の斜め下方から視た斜視図である。
【図１７】取付枠に実装されるＬＣアダプタ用のアタッチメントの一例を示し、（ａ）は平面図、（ｂ）は正面図、（ｃ）は底面図、（ｄ）は側面図、（ｅ）は背面図、（ｆ）は後方の斜め上方から視た斜視図、（ｇ）は後方の斜め下方から視た斜視図である。
【図１８】アタッチメントにＬＣアダプタを装着した状態を示し、（ａ）は平面図、（ｂ）は正面図、（ｃ）は底面図、（ｄ）は側面図、（ｅ）は背面図、（ｆ）は前方の斜め上方から視た斜視図、（ｇ）は前方の斜め下方から視た斜視図、（ｈ）は後方の斜め上方から視た斜視図、（ｉ）は後方の斜め下方から視た斜視図である。
【図１９】アタッチメントに電話用モジュラアダプタを装着した状態を示し、（ａ）は平面図、（ｂ）は正面図、（ｃ）は底面図、（ｄ）は側面図、（ｅ）は背面図、（ｆ）は前方の斜め上方から視た斜視図、（ｇ）は前方の斜め下方から視た斜視図、（ｈ）は後方の斜め上方から視た斜視図である。
【図２０】取付枠のアダプタが装着されていない部位に取り付けられるダミーキャップの一例を示し、（ａ）は平面図、（ｂ）は正面図、（ｃ）は側面図、（ｄ）は背面図、（ｅ）は前方の斜め上方から視た斜視図、（ｆ）は前方の斜め下方から視た斜視図である。
【発明を実施するための形態】
【００２２】
以下、図面を参照して本発明に係るパッチパネルの実施の一形態を詳細に説明する。
＜パッチパネルの外観構成＞
本実施形態におけるパッチパネルは、図１に示すように、プラグ（図示せず）が着脱自在に接続される電気又は光通信用のＬＣアダプタＱ１やＳＣアダプタＱ２、電話用モジュラアダプタＱ３等を含む各種のアダプタを保持する複数の取付枠１Ａ、１Ｂを一列に並べて、プラグの接続ポートが合計２４個となるようにパネル１１に取り付けられ、このパネル１１は不図示のラック等の被固定部位に取り付けられることで構成される。
【００２３】
＜パネルの構成＞
パネル１１は、図１、図６に示すように、前面が略矩形状で且つ側面で略コの字形状に形成されており、パネル１１前面の長手方向における両端部は、当該パネル１１をラック等の被固定部位にねじ止めするための取付ネジを挿通する一対の長孔１３Ａがそれぞれ穿設された支持板部１３となっている。また、前記パネル１１の内側には、略矩形状の窓孔１２が形成されており、そこには互いに異なるポート仕様の取付枠１Ａ、１Ｂが横一列となって適宜数、配列にて混載された状態で塞がれる。なお、取付枠１Ａ、１Ｂの前面には、後述する各種のアダプタＱ１、Ｑ２、Ｑ３が取り付けられる開口枠２の位置に対応して、テプラナンバーリングＮが上下に付設されている。また、前記パネル１１の中央には補強のための仕切部１４が設けられているが、この仕切部１４はパネル１１の強度が十分で必要なければ切除してもよい。
【００２４】
また、図７に示すように、パネル１１の他の例として、一対の長孔１３Ａがそれぞれ穿設された支持板部１３を、当該パネル１１前面の長手方向における両端部から前方に延びた連結板１５を介して形成しても良い。これにより、パネル１１をラック等の被固定部位に取り付けた際には、パネル１１前面に脆弱なプラグとコード（例えば光コネクタプラグのブーツ部分）との接続部分の過度な曲げに対する保護スペースが確保される。
【００２５】
＜取付枠の配置構成＞
本実施形態では、図１乃至図３、図５、図１２に示すように、互いに異なるポート仕様の取付枠１Ａ、１Ｂをパネル１１の窓孔１２に混載させている。すなわち、図８及び図９に示す６ポート仕様の取付枠（６ポート枠）１Ａと、図１０及び図１１に示す４ポート仕様の取付枠（４ポート枠）１Ｂと、の２種のポート枠を用意してあり、パネル１１は、図１２に示すように、４ポート仕様の取付枠（４ポート枠）１Ｂを３個と、６ポート仕様の取付枠（６ポート枠）１Ａを２個とをパネル１１の窓孔１２に適宜の配列にて混載させることで、合計２４ポートを有するものとしている。
【００２６】
具体的には、図１乃至図３に示すように、パネル１１の窓孔１２に前方から視て左側から右側に沿って横１列に６ポート仕様の取付枠（６ポート枠）１Ａを２個、４ポート仕様の取付枠（４ポート枠）１Ｂを３個を並べて配置する。
【００２７】
また、図１３に示すように、６ポート仕様の取付枠（６ポート枠）１Ａだけを使用する場合には、この取付枠（６ポート枠）１Ａの４個がパネル１１の窓孔１２に一列となって取り付けられる。
【００２８】
更に、図１４に示すように、４ポート仕様の取付枠（４ポート枠）１Ｂだけを使用する場合には、この取付枠（４ポート枠）１Ｂの６個がパネル１１の窓孔１２に一列となって取り付けられる。
【００２９】
＜パネルに対する取付枠の脱着構造＞
複数の取付枠１Ａ、１Ｂは、パネル１１の前面側から窓孔１２を介して挿入される。すなわち、図４、図８乃至図１１に示すように、取付枠１Ａ、１Ｂの上縁端内側には複数のリブ３が形成され、これらリブ３相互間には、パネル１１の窓孔１２の上側開口縁の部位に下方に向けて形成された複数の幅広舌片状の突起部４が係脱する横長矩形凹状の係止凹部５を備えている。
【００３０】
また、図１、図２、図３（ａ）、図４（ａ）〜（ｃ）、図５、図８（ｂ）〜（ｄ）、図９（ａ）〜（ｃ）、図１０（ｂ）〜（ｄ）、図１１（ａ）〜（ｃ）、図１２、図１３、図１４に示すように、取付枠１Ａ、１Ｂの下縁端中央には、図１に示す手指Ｈの例えば親指腹部側を上方に向けて若干差し込めることができる程度、あるいはマイナスドライバ等の工具Ｄを差し込める程度の縦横幅に十分な広さを有する略台形状の切欠部６が形成されている。
【００３１】
そして、図３（ａ）、図５、図８（ｂ）〜（ｄ）、図９（ｃ）、図１０（ｂ）〜（ｄ）、図１１（ｃ）に示すように、取付枠１Ａ、１Ｂの下縁端内側には、切欠部６の内側を跨ぐようにして、弾性を有する横長板状の被係止部７が、その両端が取付枠１Ａ、１Ｂに固定された状態で横架されている。
【００３２】
さらに、図４、図８（ｃ）〜（ｄ）、図９（ｃ）、図１０（ｂ）〜（ｅ）、図１１（ｃ）に示すように、前記被係止部７の下面には、先端がテーパ面８Ａとなった係止爪８が形成されており、パネル１１の窓孔１２の下側開口縁にテーパ面８Ａを当接させた状態で取付枠１Ａ、１Ｂの下部を押し込むことで、被係止部７の中央部が上方に撓曲しつつ窓孔１２の下側開口縁がテーパ面８Ａに沿って移動することにより、窓孔１２の下側開口縁に係止爪８が係止するものとしてある。
【００３３】
また、前記取付枠１Ａ、１Ｂの下縁中央に形成された切欠部６を介して被係止部７の中央部を手指Ｈの例えば親指腹部側で上方に撓ませるか、あるいは切欠部６にマイナスドライバ等の工具Ｄを差し込んで被係止部７の中央部を上方に撓ませるか、等することでパネル１１の窓孔１２の下側開口縁による係止爪８の係止が解除され、当該窓孔１２から取付枠１Ａ、１Ｂを取り外せるものとしてある。
【００３４】
而して、図５に示すように、既述したパネル１１が上下方向に複数段となってラック等の被固定部位に実装されている場合であっても、上下のパネル１１の取付枠１Ａ、１Ｂ相互間に、切欠部６によって手指Ｈやマイナスドライバ等の工具Ｄが容易に差し込める十分な隙間が形成されるため、この隙間を介して被係止部７の中央部を容易に上方に撓曲させることができ、これによって、前記パネル１１の窓孔１２から取付枠１Ａ、１Ｂが容易且つスムーズに取り外せることができる。
【００３５】
＜ＬＣアダプタＱ１の構造＞
ＬＣアダプタＱ１は、図１８に示すように、前方及び後方の双方向から光コネクタプラグが受け入れ可能となっている両端開口の一体構造による略筐体状のハウジング４１を備え、該ハウジング４１の一方向の嵌合部には、斜め配置で当該嵌合部を閉鎖するためのシャッタ板４２が内側で開閉可能となるように配置されている。
【００３６】
＜ＳＣアダプタＱ２の構造＞
ＳＣアダプタＱ２は、図１６に示すように、略筐体状のハウジング５１の前方向及び後方向両端に、光学軸が一致するように光コネクタの嵌合部と、光コネクタその他の光学部品の嵌合部とをそれぞれ備え、前記ハウジング５１の光コネクタの嵌合部に、斜め配置で前記嵌合部を閉鎖するシャッタ板５２と、このシャッタ板５２を閉鎖方向へ付勢する板バネ（図示せず）とを配設し、前記ハウジング５１の嵌合部に光コネクタを嵌合させることによって前記シャッタ板５２を板バネの押圧力に抗して開放させるように構成してある。
【００３７】
＜アダプタのアタッチメントによる取付構造＞
図１５〜図１８に示すように、電気又は光通信用のＬＣアダプタＱ１及びＳＣアダプタＱ２は、それぞれのアダプタＱ１、Ｑ２に対応したアタッチメント２１Ａ、２１Ｂを介して、取付枠１Ａ、１Ｂの一列に設けられたポートに対応して後方に延びる矩形筒状の開口枠２に後方から挿入される。図８〜図１１に示すように、前記開口枠２の例えば下壁部２Ａには、各アタッチメント２１Ａ、２１Ｂの下壁面に形成された例えば段差状の係止部１６と対向する左右一対のラッチ片１７が設けられ、当該開口枠２に後方から挿入した際に、各ラッチ片１７は各アタッチメント２１Ａ、２１Ｂの各係止部１６によって係止されるものとしてある。
【００３８】
前記ＳＣアダプタＱ２のアタッチメント２１Ｂは、図１５に示すように、ハウジング５１をシャッタ板５２側から挿入する角筒状の駒部材によって形成され、アタッチメント２１Ｂの左右側面には後方端部中央から前方に向けて矩形の切欠溝２２を設けることで側面視略コ字型に形成される。また、アタッチメント２１Ｂの内底面には、正面視で左右一対のガイドレール２３が形成されている。
【００３９】
図１６に示すように、前記ＳＣアダプタＱ２のコネクタハウジング５１の左右外壁面には、縦長矩形状のフランジ部５６と、該フランジ部５６に対応して後側において前方に向け斜行状に突設された係止突片５３とが形成されている。コネクタハウジング５１をアタッチメント２１Ｂに取り付けたとき、前記フランジ部５６と係止突片５３との間に、アタッチメント２１Ｂ側面の切欠溝２２奥側の側面に挟持されつつ、前記係止突片５３によってアタッチメント２１Ｂからのコネクタハウジング５１の抜けが阻止される。なお、図中、符号２４はコネクタハウジング５１の上壁面に形成されたキー突起５４を挿入ガイドするためのキー溝である。
【００４０】
前記ＬＣアダプタＱ１のアタッチメント２１Ａは、図１７に示すように、ハウジング４１をシャッタ板４２側から挿入する角筒状の駒部材によって形成され、当該アタッチメント２１Ｂの左右側面には後方端部中央から前方に向けて短尺矩形状の切欠溝２５が形成されている。
【００４１】
図１８に示すように、前記ＬＣアダプタＱ１のハウジング４１の左右外壁面の後部側には、弾性を付与した状態で前方に向けて突設された係止突片５５が形成されている。ハウジング４１がアタッチメント２１Ａに取り付けられたとき、前記係止突片５５の弾性力によってアタッチメント２１Ａからのハウジング４１の抜けが阻止される。
【００４２】
＜電話用モジュラアダプタの構成＞
電話用モジュラアダプタＱ３は、従来のモジュラジャックの構造を直接利用している。すなわち、本実施形態における取付枠１Ａ、１Ｂの開口枠２は、上記図４（ｄ）に示すように、従来のモジュラジャックを後方から挿入した際に、ラッチ片１７はモジュラジャックのハウジング３１に形成されている係止部１６によって係止されるものとしてある。
【００４３】
前記ハウジング３１は、図１９に示すように、絶縁性を有する透明な合成樹脂の成形品からなり、前面が略矩形状に形成されている。当該ハウジング３１の前面にはモジュラプラグ（図示せず）が挿入されるプラグ挿入孔３２が開口し、前後スライド式のシャッタ３３で開閉できるようにしてある。プラグ挿入孔３２内にはモジュラプラグの接触子と弾接するように複数本のコンタクト３４が配設されている（図４（ｄ）参照）。
【００４４】
また、図４（ｄ）及び図１９に示すように、ハウジング３１後部の上面からは、各コンタクト３４と夫々電気的に接続された複数の端子３５が突出している。この端子３５はＩＤＣ端子と呼ばれる周知のものであり、一対の歯の間に上端縁を開放した圧接スリットを有するフォーク状に形成された圧接形のものであって、圧接スリットの幅は接続する電線の芯線に圧接スリットの両側縁が圧接する程度に設定されている。つまり、絶縁被覆を有する電線を圧接スリットに上方から圧入すると、電線の絶縁被覆を圧接スリットの両側縁で切ることにより絶縁被覆を剥ぎながら圧接スリットの中に芯線を導入し、圧接スリットの両側縁間に芯線を挟持するようになっている。
【００４５】
さらに、図４（ｄ）及び図１９に示すように、別途の工具や治具を用いることなく端子３５に電線を接続可能とするために、複数本の電線をまとめて保持する整列機能および電線を端子３５に圧入する圧入機能を兼ね備えた合成樹脂成形品のカバー３６を前記ハウジング３１の後面に設けている。前記カバー３６はフック構造によって脱着可能であって、ハウジング３１から突出する端子３５に被さる位置と、端子３５を開放する位置との間で開閉可能になっている。
【００４６】
而して、前記カバー３６によりＵＴＰバンドル型のケーブルＫ（図１参照）の各対を保持し、所定の端子３５に整列させ、カバー３６をハウジング３１側に被せることによって、ケーブルＫの各対が所定の端子３５に圧接され、所定のコンタクト３４と電気的に接続される。
【００４７】
前記取付枠１Ａ、１Ｂの不使用のポートに対応する開口枠２には、図１に示すように、後方からダミーキャップ６１が嵌着される。ダミーキャップ６１は、図２０に示すように、前記したＬＣアダプタＱ１及びＳＣアダプタＱ２それぞれに対応したアタッチメント２１Ａ、２１Ｂと略同じ角筒状に形成されているが、その前端面だけが閉塞板６２によって閉鎖されている。
【００４８】
また、このダミーキャップ６１の左右側面には後方端部中央から前方に向けて短尺矩形状の切欠溝６３が形成され、当該ダミーキャップ６１の下壁面には上記アタッチメント２１Ａ、２１Ｂと同様に係止部１６が形成されている。
【００４９】
次に、以上のように構成された形態についての使用の一例について説明する。
まず、図４に示すように、取付枠１Ａ、１Ｂの開口枠２に、従来のモジュラジャックを後方側から挿入する。同時に、図１５〜図１８に示すように、電気又は光通信用のＬＣアダプタＱ１及びＳＣアダプタＱ２それぞれをアタッチメント２１Ａ及び２１Ｂを介して、取付枠１Ａ、１Ｂの後方に延びる矩形筒状の開口枠２に後方側から挿入する。
【００５０】
図１乃至図３に示すように、前記パネル１１の窓孔１２に前方から視て左側から右側に沿って横１列に６ポート仕様の取付枠（６ポート枠）１Ａを２個、４ポート仕様の取付枠（４ポート枠）１Ｂを３個を並べて配置する。この場合、パネル１１の窓孔１２の下側開口縁にテーパ面８Ａを当接させた状態で取付枠１Ａ、１Ｂの下部を押し込めば、窓孔１２の下側開口縁がテーパ面８Ａに沿って移動することにより被係止部７の中央部が上方に撓曲され、窓孔１２の下側開口縁に係止爪８が係止される。
【００５１】
次いで、前記パネル１１の窓孔１２の上側開口縁に下方に向けて形成された複数の幅広舌体状の突起部４を係止凹部５に係止させることによって各取付枠１Ａ、１Ｂはパネル１１の窓孔１２に装着される。
【００５２】
前記パネル１１の窓孔１２から取付枠１Ａ、１Ｂを取り外す場合には、当該取付枠１Ａ、１Ｂの下縁中央に形成された切欠部６に手指Ｈもしくはマイナスドライバ等の工具Ｄを差し込んで、被係止部７の中央部を押し上げ、上方に撓ませることで窓孔１２の下側開口縁による係止爪８の係止を解除すると共に、前記窓孔１２の上側開口縁側に設けられた複数の突起部４の係止凹部５に対する係止を解除することにより、取付枠１Ａ、１Ｂは容易にパネル１１から取り外せることとなる。
【００５３】
なお、一々例示はしないが、本発明は、その趣旨を逸脱しない範囲内において、種々の変更が加えられて実施されるものである。  
【符号の説明】
【００５４】
Ｑ１            ＬＣアダプタ
Ｑ２            ＳＣアダプタ
Ｑ３            電話用モジュラアダプタ
Ｈ              手指
Ｄ              工具
Ｎ              テプラナンバーリング
Ｋ              ケーブル
１Ａ、１Ｂ      取付枠
２              開口枠
２Ａ            下壁部
３              リブ
４              突起部
５              係止凹部
６              切欠部
７              被係止部
８              係止爪
８Ａ            テーパ面
１１            パネル
１２            窓孔
１３            支持板部
１３Ａ          長孔
１４            仕切部
１５            連結板
１６            係止部
１７            ラッチ片
２１Ａ、２１Ｂ  アタッチメント
２２            切欠溝
２３            ガイドレール
２４            キー溝
３１            ハウジング
３２            プラグ挿入孔
３３            シャッタ
３４            コンタクト
３５            端子
３６            カバー
４１            ハウジング
４２            シャッタ板
５１            ハウジング
５２            フランジ部
５３            係止突片
５５            係止突片
５６            フランジ部
６１            ダミーキャップ
６２            閉塞板
６３            切欠溝
【図１】
2018186042.tif 000003
【図２】
2018186042.tif 000004
【図３】
2018186042.tif 000005
【図４】
2018186042.tif 000006
【図５】
2018186042.tif 000007
【図６】
2018186042.tif 000008
【図７】
2018186042.tif 000009
【図８】
2018186042.tif 000010
【図９】
2018186042.tif 000011
【図１０】
2018186042.tif 000012
【図１１】
2018186042.tif 000013
【図１２】
2018186042.tif 000014
【図１３】
2018186042.tif 000015
【図１４】
2018186042.tif 000016
【図１５】
2018186042.tif 000017
【図１６】
2018186042.tif 000018
【図１７】
2018186042.tif 000019
【図１８】
2018186042.tif 000020
【図１９】
2018186042.tif 000021
【図２０】
2018186042.tif 000022